(57)【要約】【課題】後の録画予約をしたユーザの録画が実行される可能性を残しながら、ユーザ間で録画予約の調停を容易に行うことが可能な録画装置およびこの録画装置を備える録画システムを提供する。【解決手段】この録画システム１００の録画装置１０は、放送番組を受信するための受信部１１と、受信部１１により受信された放送番組を録画する記憶部１７と、インターネット９０を介して携帯情報端末２０、３０および４０から放送番組の録画予約情報を受信する通信部１８と、録画予約情報に基づいて録画予約するとともに、録画予約した複数の放送番組のうち予約時間が重複する放送番組がある場合には、予約時間が重複する放送番組を録画予約したユーザが使用する携帯情報端末２０、３０および４０に対して録画予約が重複したことを通知する制御を行う制御部１９とを備える。【選択図】図１
2015139200.tif 000002
【特許請求の範囲】
【請求項１】
放送番組を受信するための受信部と、
前記受信部により受信された前記放送番組を録画する記憶部と、
ネットワークを介して情報端末から前記放送番組の録画予約情報を受信する通信部と、
前記録画予約情報に基づいて録画予約するとともに、録画予約した複数の前記放送番組のうち予約時間が重複する前記放送番組がある場合には、予約時間が重複する前記放送番組を録画予約したユーザが使用する前記情報端末に対して録画予約が重複したことを通知する制御を行う制御部とを備えた、録画装置。
【請求項２】
前記制御部は、前記録画予約情報に基づいて、録画予約したユーザを識別するとともに、録画予約したユーザとは異なるユーザによる録画予約の変更操作を制限する制御を行うように構成されている、請求項１に記載の録画装置。
【請求項３】
前記制御部は、予約時間が重複する前記放送番組を録画予約したユーザが使用する前記情報端末に対して、重複している相手方の予約者名に加えて、予約時間および予約番組名のうち少なくともいずれか１つを通知する制御を行うように構成されている、請求項１または２に記載の録画装置。
【請求項４】
前記制御部は、予約時間が重複する前記放送番組を録画予約したユーザの各々が使用する前記情報端末の全てに対して録画予約が重複したことを通知する制御を行うように構成されている、請求項１〜３のいずれか１項に記載の録画装置。
【請求項５】
前記制御部は、予約時間が重複する前記放送番組のうち少なくともいずれか１つの前記放送番組が録画予約された予約時間以外の時間にも放送される場合には、録画予約が重複したことの通知に加えて、録画予約された予約時間以外の時間にも放送される前記放送番組があることをさらに通知する制御を行うように構成されている、請求項１〜４のいずれか１項に記載の録画装置。
【請求項６】
前記放送番組を受信するための複数の前記受信部を備えるように構成されており、
前記制御部は、録画予約した複数の前記放送番組のうち予約時間が重複する前記放送番組の数が前記複数の受信部の数よりも大きい場合には、予約時間が重複する前記放送番組を録画予約したユーザが使用する前記情報端末に対して録画予約が重複したことを通知する制御を行うように構成されている、請求項１〜５のいずれか１項に記載の録画装置。
【請求項７】
ネットワークを介して通信する情報端末と、
放送番組を受信するための受信部と、前記受信部により受信された前記放送番組を録画する記憶部と、前記ネットワークを介して前記情報端末から前記放送番組の録画予約情報を受信する通信部と、前記録画予約情報に基づいて録画予約するとともに、録画予約した複数の前記放送番組のうち予約時間が重複する前記放送番組がある場合には、予約時間が重複する前記放送番組を録画予約したユーザが使用する前記情報端末に対して録画予約が重複したことを通知する制御を行う制御部とを含む録画装置とを備えた、録画システム。
【請求項８】
ネットワークを介して通信する情報端末と、
前記ネットワークを介して前記情報端末と通信するサーバ装置と、
放送番組を受信するための受信部と、前記受信部により受信された前記放送番組を録画する記憶部と、前記サーバ装置を介して前記放送番組の録画予約情報を受信する通信部と、前記録画予約情報に基づいて録画予約するとともに、録画予約した複数の前記放送番組のうち予約時間が重複する前記放送番組がある場合には、前記サーバ装置を介して予約時間が重複する前記放送番組を録画予約したユーザが使用する前記情報端末に対して録画予約が重複したことを通知する制御を行う制御部とを含む録画装置とを備えた、録画システム。
【発明の詳細な説明】
【技術分野】
【０００１】
この発明は、録画装置および録画システムに関し、特に、情報端末から放送番組の録画予約情報を受信する通信部を備える録画装置およびこの録画装置を備える録画システムに関する。
【背景技術】
【０００２】
従来、情報端末から放送番組の録画予約情報を受信する通信部を備える録画システムが知られている（たとえば、特許文献１参照）。
【０００３】
上記特許文献１には、複数の携帯端末と接続されるホームサーバーと、放送番組を録画可能な情報記録再生装置とを備える、番組予約システム（録画システム）が開示されている。このホームサーバーは、複数の携帯端末とネットワークを介して通信を行う情報送受信部（通信部）と、情報送受信部を介して受信した番組予約情報に基づいて予約時間の重複の有無を判定する予約情報比較部とを含んでいる。上記特許文献１に記載の番組予約システムでは、予約情報比較部において予約の重複が無いと判定された場合には、ホームサーバーから情報記録再生装置に対して予約命令が送信されるように構成されている。一方、予約情報比較部において予約の重複があると判定された場合には、予約命令が情報記録再生装置に対して送信されずに、ホームサーバーから後発予約者（後に予約情報を送信したユーザ）が使用する携帯端末に対して重複予約の通知を行うように構成されている。
【先行技術文献】
【特許文献】
【０００４】
【特許文献１】特開２００３−６９９２７号公報
【発明の概要】
【発明が解決しようとする課題】
【０００５】
しかしながら、上記特許文献１に記載の番組予約システムでは、予約情報比較部において重複があると判定された場合には、記録再生装置に対して予約命令が送信されないため、先発予約者（先に予約情報を送信したユーザ）と後発予約者との間で録画予約に関する調停が行われない場合には、先発予約者の録画が実行されるのに対して、後発予約者の録画は実行されないという問題点がある。この場合、たとえ放送番組の放送時間が変更になって、後発予約者の録画したい放送番組が録画可能になったとしても、後発予約者の録画したい放送番組は録画されない。
【０００６】
この発明は、上記のような課題を解決するためになされたものであり、この発明の１つの目的は、後の録画予約をしたユーザの録画が実行される可能性を残しながら、ユーザ間で録画予約の調停を容易に行うことが可能な録画装置およびこの録画装置を備える録画システムを提供することである。
【課題を解決するための手段】
【０００７】
この発明の第１の局面による録画装置は、放送番組を受信するための受信部と、受信部により受信された放送番組を録画する記憶部と、ネットワークを介して情報端末から放送番組の録画予約情報を受信する通信部と、録画予約情報に基づいて録画予約するとともに、録画予約した複数の放送番組のうち予約時間が重複する放送番組がある場合には、予約時間が重複する放送番組を録画予約したユーザが使用する情報端末に対して録画予約が重複したことを通知する制御を行う制御部とを備える。
【０００８】
この発明の第１の局面による録画装置では、上記のように、録画予約情報に基づいて録画予約するとともに、録画予約した複数の放送番組のうち予約時間が重複する放送番組がある場合には、予約時間が重複する放送番組を録画予約したユーザが使用する情報端末に対して録画予約が重複したことを通知する制御を行う制御部を設けることによって、放送番組の予約時間が重複する場合にも録画予約自体は行うので、放送番組の予約時間が重複する場合には後の録画予約を行わない場合と異なり、ユーザ間で録画予約の調停（いずれの録画予約を変更するかの調整）が行われないまたは成立しない場合であっても、放送番組の放送時間の変更などにより後の録画予約をしたユーザの録画したい放送番組が録画可能になった場合には、後の録画予約をしたユーザの録画したい放送番組を録画させることができる。その結果、後の録画予約をしたユーザの録画が実行される可能性を残すことができる。また、ユーザは、自身が使用する情報端末を介して録画予約が重複したことを知ることができるので、予約時間が重複する放送番組を録画予約した他のユーザとの調停を容易に行うことができる。したがって、後の録画予約をしたユーザの録画が実行される可能性を残しながら、ユーザ間で録画予約の調停を容易に行うことができる。
【０００９】
上記第１の局面による録画装置において、好ましくは、制御部は、録画予約情報に基づいて、録画予約したユーザを識別するとともに、録画予約したユーザとは異なるユーザによる録画予約の変更操作を制限する制御を行うように構成されている。このように構成すれば、自身の録画予約が他のユーザの誤操作などにより変更（予約時間の変更または録画予約の解除）されるという状況を抑制することができるので、他のユーザの誤操作などにより自身の録画予約した放送番組が意図に反して録画されないという状況を抑制することができる。
【００１０】
上記第１の局面による録画装置において、好ましくは、制御部は、予約時間が重複する放送番組を録画予約したユーザが使用する情報端末に対して、重複している相手方の予約者名に加えて、予約時間および予約番組名のうち少なくともいずれか１つを通知する制御を行うように構成されている。なお、「重複している相手方」とは、予約時間が重複する放送番組を録画予約したユーザのうち、通知先の情報端末を使用するユーザ以外のユーザのことを意味する。このように構成すれば、重複している相手方の録画予約に関する情報を知ることができるので、予約時間が重複する放送番組を録画予約した他のユーザとの調停を円滑に行うことができる。
【００１１】
上記第１の局面による録画装置において、好ましくは、制御部は、予約時間が重複する放送番組を録画予約したユーザの各々が使用する情報端末の全てに対して録画予約が重複したことを通知する制御を行うように構成されている。このように構成すれば、予約時間が重複する放送番組を録画予約したユーザ全員に予約が重複したことを通知することができるので、録画予約をしたユーザの一部にのみ予約が重複したことを通知する場合と比べて、予約が重複したことの通知に気付かないという状況が起こることを抑制することができる。したがって、ユーザ間で録画予約の調停をより容易に行うことができる。
【００１２】
上記第１の局面による録画装置において、好ましくは、制御部は、予約時間が重複する放送番組のうち少なくともいずれか１つの放送番組が録画予約された予約時間以外の時間にも放送される場合には、録画予約が重複したことの通知に加えて、録画予約された予約時間以外の時間にも放送される放送番組があることをさらに通知する制御を行うように構成されている。このように構成すれば、ユーザは、録画予約が重複したことの通知に加えて、調停のための情報（録画予約された予約時間以外の時間にも放送されることの通知）を得ることができるので、ユーザが自ら調停のための情報を調べるという手間がかかることを抑制することができるとともに、ユーザ間で録画予約の調停を迅速に行うことができる。
【００１３】
上記第１の局面による録画装置において、好ましくは、放送番組を受信するための複数の受信部を備えるように構成されており、制御部は、録画予約した複数の放送番組のうち予約時間が重複する放送番組の数が複数の受信部の数よりも大きい場合には、予約時間が重複する放送番組を録画予約したユーザが使用する情報端末に対して録画予約が重複したことを通知する制御を行うように構成されている。このように構成すれば、複数の受信部を備える場合には、複数の受信部により録画可能な最大数（受信部の数）を越えてユーザ間での調停が必要になった場合にのみ、録画予約が重複したことが通知されるので、調停が不要な場合にも録画予約が重複していることが通知さてしまうのを抑制することができる。
【００１４】
この発明の第２の局面による録画システムは、ネットワークを介して通信する情報端末と、放送番組を受信するための受信部と、受信部により受信された放送番組を録画する記憶部と、ネットワークを介して情報端末から放送番組の録画予約情報を受信する通信部と、録画予約情報に基づいて録画予約するとともに、録画予約した複数の放送番組のうち予約時間が重複する放送番組がある場合には、予約時間が重複する放送番組を録画予約したユーザが使用する情報端末に対して録画予約が重複したことを通知する制御を行う制御部とを含む録画装置とを備える。
【００１５】
この発明の第２の局面による録画システムでは、上記のように、録画予約情報に基づいて録画予約するとともに、録画予約した複数の放送番組のうち予約時間が重複する放送番組がある場合には、予約時間が重複する放送番組を録画予約したユーザが使用する情報端末に対して録画予約が重複したことを通知する制御を行う制御部を録画装置に設けることによって、放送番組の予約時間が重複する場合にも録画予約自体は行うので、放送番組の予約時間が重複する場合には後の録画予約を行わない場合と異なり、ユーザ間で録画予約の調停（いずれの録画予約を変更するかの調整）が行われないまたは成立しない場合であっても、放送番組の放送時間の変更などにより後の録画予約をしたユーザの録画したい放送番組が録画可能になった場合には、後の録画予約をしたユーザの録画したい放送番組を録画させることができる。その結果、後の録画予約をしたユーザの録画が実行さる可能性を残すことができる。また、ユーザは、自身が使用する情報端末を介して録画予約が重複したことを知ることができるので、予約時間が重複する放送番組を録画予約した他のユーザとの調停を容易に行うことができる。したがって、後の録画予約をしたユーザの録画が実行される可能性を残しながら、ユーザ間で録画予約の調停を容易に行うことができる。
【００１６】
この発明の第３の局面による録画システムは、ネットワークを介して通信する情報端末と、ネットワークを介して情報端末と通信するサーバ装置と、放送番組を受信するための受信部と、受信部により受信された放送番組を録画する記憶部と、サーバ装置を介して放送番組の録画予約情報を受信する通信部と、録画予約情報に基づいて録画予約するとともに、録画予約した複数の放送番組のうち予約時間が重複する放送番組がある場合には、サーバ装置を介して予約時間が重複する放送番組を録画予約したユーザが使用する情報端末に対して録画予約が重複したことを通知する制御を行う制御部とを含む録画装置とを備える。なお、「サーバ装置を介して放送番組の録画予約情報を受信する」には、サーバ装置を経由して情報端末と録画装置の通信部とが通信を行う場合だけでなく、サーバ装置に録画予約情報が蓄えられた後、サーバ装置から録画予約情報が送信されて、録画装置の通信部に受信される場合も含む。
【００１７】
この発明の第３の局面による録画システムでは、上記のように、録画予約情報に基づいて録画予約するとともに、録画予約した複数の放送番組のうち予約時間が重複する放送番組がある場合には、サーバ装置を介して予約時間が重複する放送番組を録画予約したユーザが使用する情報端末に対して録画予約が重複したことを通知する制御を行う制御部を録画装置に設けることによって、放送番組の予約時間が重複する場合にも録画予約自体は行うので、放送番組の予約時間が重複する場合には後の録画予約を行わない場合と異なり、ユーザ間で録画予約の調停（いずれの録画予約を変更するかの調整）が行われないまたは成立しない場合であっても、放送番組の放送時間の変更などにより後の録画予約をしたユーザの録画したい放送番組が録画可能になった場合には、後の録画予約をしたユーザの録画したい放送番組を録画させることができる。その結果、後の録画予約をしたユーザの録画が実行される可能性を残すことができる。また、ユーザは、自身が使用する情報端末を介して録画予約が重複したことを知ることができるので、予約時間が重複する放送番組を録画予約した他のユーザとの調停を容易に行うことができる。したがって、後の録画予約をしたユーザの録画が実行される可能性を残しながら、ユーザ間で録画予約の調停を容易に行うことができる。
【発明の効果】
【００１８】
本発明によれば、上記のように、後の録画予約をしたユーザの録画が実行される可能性を残しながら、ユーザ間で録画予約の調停を容易に行うことが可能な録画装置およびこの録画装置を備える録画システムを提供することができる。
【図面の簡単な説明】
【００１９】
【図１】本発明の第１実施形態による録画システムの全体構成を示す図である。
【図２】本発明の第１実施形態による録画装置および携帯情報端末を示すブロック図である。
【図３】本発明の第１実施形態による録画装置における録画予約の重複状態を説明するための図である。
【図４】本発明の第１実施形態による録画装置における録画予約が重複したことの通知の一例を示す図である。
【図５】本発明の第１実施形態による録画装置の録画予約重複判別処理を説明するためのフローチャートである。
【図６】本発明の第１実施形態による録画装置の録画予約変更受付処理を説明するためのフローチャートである。
【図７】本発明の第２実施形態による録画装置および携帯情報端末を示すブロック図である。
【図８】本発明の第２実施形態による録画装置の録画予約重複判別処理を説明するためのフローチャートである。
【図９】本発明の第３実施形態による録画システムの全体構成を示す図である。
【図１０】本発明の第３実施形態による録画装置およびホームサーバの録画予約重複判別処理を説明するためのフローチャートである。
【図１１】本発明の第３実施形態によるホームサーバの録画リスト通知処理を説明するためのフローチャートである。
【発明を実施するための形態】
【００２０】
以下、本発明を具体化した実施形態を図面に基づいて説明する。
【００２１】
（第１実施形態）
図１〜図６を参照して、本発明の第１実施形態による録画システム１００の構成について説明する。
【００２２】
本発明の第１実施形態による録画システム１００は、図１に示すように、録画機能を有するテレビジョン装置としての録画装置１０と、録画装置１０とインターネット９０を介して通信可能な多機能携帯電話（スマートフォン）としての携帯情報端末２０、３０および４０とを備えている。なお、携帯情報端末２０、３０および４０は、各々、本発明の「情報端末」の一例である。また、インターネット９０は、本発明の「ネットワーク」の一例である。
【００２３】
この録画システム１００は、遠隔地から携帯情報端末２０、３０および４０を操作して、家庭内に配置される録画装置１０が受信する放送番組の録画予約を行うことが可能なように構成されている。具体的には、録画システム１００は、電子メール、録画予約のためのウェブページ、または、録画予約のためのアプリケーションなどの手段を用いて、携帯情報端末２０、３０および４０から録画装置１０に対して録画予約したい放送番組の録画予約情報を送信することにより、遠隔地からの録画予約を行うことが可能なように構成されている。
【００２４】
また、録画システム１００は、録画予約可能なユーザが予め登録されるように構成されている。具体的には、録画システム１００は、電子メールアドレスや、録画予約のためのウェブページおよびアプリケーションに対応するアカウント情報などが録画装置１０に登録されることにより、録画予約可能なユーザが登録されるように構成されている。これにより、録画システム１００では、登録されたユーザのうちいずれのユーザにより録画予約されたかが識別される。
【００２５】
この第１実施形態では、ユーザＡ、ユーザＢおよびユーザＣが録画システム１００に登録されているとともに、携帯情報端末２０をユーザＡが、携帯情報端末３０をユーザＢが、携帯情報端末４０をユーザＣが使用する例について説明する。なお、各々のユーザは、録画装置に登録された電子メールアドレスや、アカウント情報などによって特定されるので、いずれの携帯情報端末を使用して録画予約してもよい。しかしながら、この第１実施形態では、理解の容易のため、各々のユーザが特定の携帯情報端末により録画予約を行う例について説明する。
【００２６】
次に、図２を参照して、録画装置１０および携帯情報端末２０（３０および４０）の具体的構成要素について説明する。その後、図３および図４を参照して、録画予約された放送番組のうち予約時間が重複する放送番組がある場合について説明する。
【００２７】
録画装置１０は、１つの受信部（チューナ）１１と、復調部１２と、表示部１３と、スピーカ１４と、ＲＯＭ１５と、ＲＡＭ１６と、記憶部１７と、通信部１８と、制御部１９とを含んでいる。
【００２８】
受信部１１（チューナ）は、放送波などにより配信される放送番組を受信するように構成されている。また、復調部１２は、受信部１１により受信した放送番組を復調して、放送番組の映像および音声情報を含むデジタル信号として表示部１３およびスピーカ１４に対して出力するように構成されている。これにより、録画装置１０では、表示部１３に映像が表示されるとともに、スピーカ１４から音声が出力される。
【００２９】
ＲＯＭ１５は、書き換え可能なフラッシュＲＯＭを含む不揮発性のメモリであり、制御部１９により実行される各種のプログラムが格納されるように構成されている。詳細には、ＲＯＭ１５には、後述する録画予約重複判別処理（図５参照）および録画予約変更受付処理（図６参照）のためのプログラムなどが格納されるように構成されている。
【００３０】
ＲＡＭ１６は、揮発性のメモリであり、ＲＯＭ１５から読み込んだプログラムが制御部１９により実行される際に、作業領域として利用されるように構成されている。
【００３１】
記憶部１７は、内蔵または外付けのハードディスクドライブであり、受信部１１により受信された放送番組のうちユーザによる録画予約に応じて録画された放送番組を格納するように構成されている。
【００３２】
通信部１８は、有線または無線でインターネット９０に接続可能に構成されている。また、通信部１８は、インターネット９０を介して、携帯情報端末２０、３０および４０から録画予約情報などを受信するように構成されている。また、制御部１９は、録画装置１０の各構成要素を制御するように構成されている。
【００３３】
また、制御部１９は、ＥＰＧ（電子番組ガイド）などの番組情報を取得して、放送番組とその放送番組が放送されるチャンネル（ＣＨ）および放送時間とを把握するように構成されている。また、制御部１９は、放送番組の録画予約を受付可能に構成されており、録画予約された放送番組の放送時間になった際に、受信部１１から放送番組に関する映像および音声情報を取得して記憶部１７に格納するように構成されている。
【００３４】
ここで、第１実施形態では、制御部１９は、携帯情報端末２０、３０および４０から受信した録画予約情報（予約者名、予約時間、予約番組名などの情報）に基づいて録画予約するとともに、録画予約した複数の放送番組のうち予約時間が重複する放送番組がある場合には、予約時間が重複する放送番組を録画予約したユーザＡ、ＢおよびＣの各々が使用する携帯情報端末２０、３０または４０の全てに対して録画予約が重複したことを通知する制御を行うように構成されている。
【００３５】
具体的には、制御部１９は、予約時間が重複する放送番組を録画予約したユーザＡ、ＢおよびＣの各々が使用する携帯情報端末２０、３０または４０の全てに対して、重複している相手方の予約者名に加えて、予約時間および予約番組名を通知する制御を行うように構成されている。
【００３６】
また、第１実施形態では、制御部１９は、ＥＰＧなどの番組情報に基づいて、放送番組が録画予約された予約時間以外の時間にも放送されるか否かを判別するように構成されている。また、制御部１９は、予約時間が重複する放送番組のうちいずれか１つの放送番組が録画予約された予約時間以外の時間にも放送される場合には、上述した録画予約が重複したことの通知と共に、録画予約された予約時間以外の時間にも放送される放送番組があることを通知する制御を行うように構成されている。なお、放送番組が録画予約された予約時間以外の時間にも放送される場合として、放送番組が再放送される場合などが挙げられる。
【００３７】
また、制御部１９は、録画予約情報に基づいて、録画予約したユーザを識別するとともに、録画予約したユーザとは異なるユーザによる録画予約の変更操作（録画予約の解除または予約時間の変更などの操作）を制限する制御を行うように構成されている。具体的には、制御部１９は、録画予約したユーザとは異なるユーザによる録画予約の変更操作である場合には、その変更を実行（承認）しないように構成されている。
【００３８】
また、制御部１９は、予約時間が重複する放送番組の予約時間のうちいずれか早い方の開始時間までに録画予約が重複した状態が解消されない場合には、後に録画予約された放送番組の録画予約を解除するように構成されている。すなわち、制御部１９は、録画予約が重複した状態が解消されない場合には、最も早く録画予約された放送番組の録画予約を優先的に残すとともに、２番目以降に録画予約された放送番組の録画予約は全て解除するように構成されている。
【００３９】
携帯情報端末２０は、表示部２１と、スピーカ２２と、操作ボタン２３と、通信部２４と、制御部２５とを含んでいる。
【００４０】
表示部２１およびスピーカ２２は、各々、携帯情報端末２０が有するプログラムに基づいて映像および音声情報を映像および音声として出力するように構成されている。操作ボタン２３は、携帯情報端末２０が有するプログラムの実行または中止などのユーザによる操作を受付するように構成されている。操作ボタン２３としては、実際のボタンでもよいし、表示部２１に表示された映像上のボタンでもよい。
【００４１】
通信部２４は、インターネット９０と接続するとともに、インターネット９０を介して録画装置１０と通信するように構成されている。また、携帯情報端末２０は、通信部２４から録画装置１０に対して、上述した手段を用いて録画予約したい放送番組の録画予約情報を送信するように構成されている。また、制御部２５は、携帯情報端末２０の各構成要素を制御するように構成されている。
【００４２】
なお、携帯情報端末３０および４０の構成については、携帯情報端末２０と同様であるので説明を省略する。
【００４３】
次に、図２、図３および図４を参照して、録画装置１０の制御部１９による録画予約された複数の放送番組のうち予約時間が重複する放送番組がある場合の通知について具体的な例を説明する。ここでは、ユーザＡにより番組Ａが、ユーザＢにより番組Ｂが、ユーザＣにより番組Ｃがこの順番に録画予約されているとともに、番組Ａと番組Ｃとの予約時間が重複している例について説明する。
【００４４】
図３では、ユーザＡ、ユーザＢおよびユーザＣにより、各々、携帯情報端末２０、３０および４０（図２参照）が使用されて録画予約された状態を示している。具体的には、ユーザＡにより、チャンネル「４ＣＨ」、予約時間「１８：００−２０：００」、予約番組名「番組Ａ」として録画予約されている。また、ユーザＢにより、チャンネル「６ＣＨ」、予約時間「２２：００−２４：００」、予約番組名「番組Ｂ」として録画予約されている。また、ユーザＣにより、チャンネル「１０ＣＨ」、予約時間「１７：００−１９：００」、予約番組名「番組Ｃ」として録画予約されている。この場合、録画装置１０（制御部１９）（図２参照）により各々の録画予約が実行されている。
【００４５】
図３では、ユーザＡにより録画予約された放送番組「番組Ａ」と、ユーザＣにより録画予約された放送番組「番組Ｃ」との予約時間の一部（１８：００−１９：００の間）が重複するので、予約時間が重複する放送番組を録画予約したユーザＡおよびＣの各々が使用する携帯情報端末２０および４０に対して録画装置１０により録画予約が重複したことが通知される。
【００４６】
図４では、ユーザＡの使用する携帯情報端末２０に対する録画予約が重複したことの通知内容を示している。具体的には、重複している相手方（ユーザＡに対するユーザＣ）の予約者名「ユーザＣ」、予約時間「１７：００−１９：００」、予約番組名「番組Ｃ」が通知されている。また、図４では、予約時間が重複する放送番組としての「番組Ａ」が録画予約された予約時間以外の時間にも放送されるので、予約時間が重複したことの通知と共に、「＊＊月＊＊日の１４：００−１６：００にも放送されます」という通知がなされている。また、図４では、予約時間が重複する放送番組の予約時間のうち早い方である「番組Ｃ」の開始時間までに録画予約が重複した状態が解消されない場合には、後の録画予約をしたユーザＣの録画予約が解除される旨の通知も合わせてなされている。
【００４７】
なお、図４ではユーザＡの使用する携帯情報端末２０に対する録画予約が重複したことの通知について説明したが、ユーザＣの使用する携帯情報端末４０に対する録画予約が重複したことの通知もユーザＡの場合と同様である。すなわち、ユーザＣの使用する携帯情報端末４０に対しては、重複している相手方の予約者名「ユーザＡ」、予約時間「１８：００−２０：００」、予約番組名「番組Ａ」が通知されるとともに、上記したその他の通知についても同様になされる。
【００４８】
そして、ユーザＡまたはユーザＣが各々の使用する携帯情報端末２０または４０により録画予約が重複したことの通知を確認した場合には、ユーザＡとユーザＣとの間で電子メールや電話などの手段により録画予約の調停（いずれの録画予約を変更するかの調整）が行われる。その結果、「番組Ａ」および「番組Ｃ」のいずれの録画予約を優先するかがユーザＡとユーザＣとの間で決定されて、「番組Ａ」および「番組Ｃ」のうち優先されない他方の録画予約の変更操作がなされる。ここで、たとえば、ユーザＡとユーザＣとの間でユーザＣの録画予約を優先して、ユーザＡの録画予約を優先しないことが決定された場合には、ユーザＡにより録画予約の変更操作がなされる。このとき、録画予約の変更操作が、「番組Ａ」の録画予約をしたユーザＡによる操作でない場合（ユーザＢまたはＣによる操作である場合）には、その変更は実行（承認）されない。
【００４９】
また、ユーザＡおよびユーザＣが各々の使用する携帯情報端末２０または４０により録画予約が重複したことの通知を確認できなかった場合には、ユーザＡとユーザＣとの間で調停が行われない。この場合には、「番組Ｃ」の開始時間１７：００までに録画予約が重複した状態が解消されないので、後の録画予約である「番組Ｃ」の録画予約が解除される。なお、「番組Ａ」の放送時間が変更になるなどして録画予約の重複が解消された場合には、「番組Ｃ」の録画予約は解除されずに、所定の時間に「番組Ｃ」の録画が実行される。
【００５０】
次に、図２、図５および図６を参照して、上述した録画予約重複判別処理および録画予約変更受付処理についてフローチャートに基づいて説明する。
【００５１】
まず、図５に示すように、ステップＳ１において、携帯情報端末（２０、３０および４０）（図２参照）から送信された録画予約情報が録画装置１０（図２参照）により受信される。そして、ステップＳ２において、録画予約情報に基づいて録画予約が録画装置１０により実行される。そして、ステップＳ３において、録画予約情報（予約者名、予約時間、予約番組名などの情報）が録画装置１０により記憶される。
【００５２】
そして、ステップＳ４において、録画予約した複数の放送番組のうち予約時間が重複する放送番組があるか否かが録画装置１０により判別される。録画予約した複数の放送番組のうち予約時間が重複する放送番組がある場合には、ステップＳ５において、予約時間が重複する放送番組を録画予約したユーザ（ユーザＡ、ユーザＢおよびユーザＣ）の各々が使用する携帯情報端末（２０、３０および４０）に対して録画予約が重複したことが録画装置１０により通知されて、録画予約重複判別処理が終了される。
【００５３】
また、ステップＳ４において、録画予約した複数の放送番組のうち予約時間が重複する放送番組がない場合には、通知が行われず、録画予約重複判別処理が終了される。
【００５４】
次に、図６を参照して、録画予約変更受付処理について説明する。
【００５５】
まず、図６に示すように、ステップＳ１１において、録画予約の変更操作を受付したか否かが録画装置１０により判別される。録画予約の変更操作を受付した場合には、ステップＳ１２において、録画予約の変更操作が録画予約したユーザによる変更操作であるか否かが録画装置１０により判別される。
【００５６】
録画予約の変更操作が録画予約したユーザとは異なるユーザによる変更操作である場合には、変更操作が録画装置１０により実行されることなく、ステップＳ１１に戻る。
【００５７】
また、ステップＳ１２において、録画予約の変更操作が録画予約したユーザによる変更操作である場合には、ステップＳ１３に進み、録画予約の変更操作が録画装置１０により実行されて、録画予約変更受付処理が終了される。
【００５８】
また、ステップＳ１１において、録画予約の変更操作を受付していない場合には、ステップＳ１４において、予約時間が重複する放送番組の予約時間のうちいずれか早い方の開始時間であるか否かが録画装置１０により判別される。予約時間が重複する放送番組の予約時間のうちいずれか早い方の開始時間である場合には、ステップＳ１５において、後に録画予約された放送番組の録画予約が録画装置１０により解除されて、録画予約変更受付処理が終了される。また、ステップＳ１４において、予約時間が重複する放送番組の予約時間のうちいずれか早い方の開始時間でない場合（開始時間よりも早い時間である場合）には、ステップＳ１１に戻る。
【００５９】
第１実施形態では、以下のような効果を得ることができる。
【００６０】
第１実施形態では、上記のように、録画予約情報に基づいて録画予約するとともに、録画予約した複数の放送番組のうち予約時間が重複する放送番組がある場合には、予約時間が重複する放送番組を録画予約したユーザＡ、ＢおよびＣが使用する携帯情報端末２０、３０および４０に対して録画予約が重複したことを通知する制御を行う制御部１９を設けることによって、放送番組の予約時間が重複する場合にも録画予約自体は行うので、放送番組の予約時間が重複する場合には後の録画予約を行わない場合と異なり、ユーザ間で録画予約の調停（いずれの録画予約を変更するかの調整）が行われないまたは成立しない場合であっても、放送番組の放送時間の変更などにより後の録画予約をしたユーザの録画したい放送番組が録画可能になった場合には、後の録画予約をしたユーザの録画したい放送番組を録画させることができる。その結果、後の録画予約をしたユーザの録画が実行される可能性を残すことができる。また、ユーザＡ、ＢおよびＣは、自身が使用する携帯情報端末２０、３０および４０を介して録画予約が重複したことを知ることができるので、予約時間が重複する放送番組を録画予約した他のユーザ（図３および図４では、ユーザＡ（Ｃ）に対するＣ（Ａ））との調停を容易に行うことができる。したがって、後の録画予約をしたユーザの録画が実行される可能性を残しながら、ユーザ間で録画予約の調停を容易に行うことができる。
【００６１】
また、第１実施形態では、上記のように、録画予約情報に基づいて、録画予約したユーザＡ、ＢおよびＣを識別するとともに、録画予約したユーザとは異なるユーザによる録画予約の変更操作を制限する制御を行うように制御部１９を構成する。これにより、自身の録画予約が他のユーザの誤操作などにより変更（予約時間の変更または録画予約の解除）されるという状況を抑制することができるので、他のユーザの誤操作などにより自身の録画予約した放送番組が意図に反して録画されないという状況を抑制することができる。
【００６２】
また、第１実施形態では、上記のように、予約時間が重複する放送番組を録画予約したユーザＡ、ＢおよびＣが使用する携帯情報端末２０、３０および４０に対して、重複している相手方の予約者名に加えて、予約時間および予約番組名を通知する制御を行うように制御部１９を構成する。これにより、重複している相手方の録画予約に関する情報を知ることができるので、予約時間が重複する放送番組を録画予約した他のユーザとの調停を円滑に行うことができる。
【００６３】
また、第１実施形態では、上記のように、予約時間が重複する放送番組を録画予約したユーザＡ、ＢおよびＣの各々が使用する携帯情報端末２０、３０および４０の全てに対して録画予約が重複したことを通知する制御を行うように制御部１９を構成する。これにより、予約時間が重複する放送番組を録画予約したユーザ全員に予約が重複したことを通知することができるので、録画予約をしたユーザの一部にのみ予約が重複したことを通知する場合と比べて、予約が重複したことの通知に気付かないという状況が起こることを抑制することができる。したがって、ユーザ間で録画予約の調停をより容易に行うことができる。
【００６４】
また、第１実施形態では、上記のように、予約時間が重複する放送番組のうち少なくともいずれか１つの放送番組が録画予約された予約時間以外の時間にも放送される場合には、録画予約が重複したことの通知に加えて、録画予約された予約時間以外の時間にも放送される放送番組があることをさらに通知する制御を行うように制御部１９を構成する。これにより、ユーザは、録画予約が重複したことの通知に加えて、調停のための情報（録画予約された予約時間以外の時間にも放送されることの通知）を得ることができるので、ユーザが自ら調停のための情報を調べるという手間がかかることを抑制することができるとともに、ユーザ間で録画予約の調停を迅速に行うことができる。
【００６５】
（第２実施形態）
次に、図７および図８を参照して、第２実施形態について説明する。この第２実施形態では、上記第１実施形態とは異なり、録画装置１１０が複数（３つ）の受信部（チューナ）１１１ａ、１１１ｂおよび１１１ｃを含む例について説明する。
【００６６】
本発明の第２実施形態による録画システム２００は、図７に示すように、家庭内に配置されるハードディスクレコーダとしての録画装置１１０と、録画装置１１０とインターネット９０を介して通信可能な携帯情報端末２０、３０および４０とを備えている。この録画システム２００は、遠隔地から携帯情報端末２０、３０および４０を操作して、家庭内に配置される録画装置１１０が受信する放送番組の録画予約を行うことが可能なように構成されている。
【００６７】
また、録画装置１１０は、複数（３つ）の受信部１１１（１１１ａ、１１１ｂおよび１１１ｃ）と、映像出力部１１３と、音声出力部１１４と、制御部１１９とを含んでいる。また、録画装置１１０は、放送番組を複数（３つ）の受信部１１１により受信して、同時刻に最大３つの放送番組の録画を行えるように構成されている。なお、上記第１実施形態と同一の機能を有する構成については、同じ符号を付してその説明を省略する。
【００６８】
映像出力部１１３および音声出力部１１４は、各々、復調部１２により復調された放送番組の映像および音声情報を含むデジタル信号を外部の図示しない表示装置に対して出力するように構成されている。これにより、外部の表示装置において、表示装置を視聴するユーザに対して映像および音声が出力される。
【００６９】
また、第２実施形態では、制御部１１９は、録画予約した複数の放送番組のうち予約時間が重複する放送番組の数が複数（３つ）の受信部１１１（１１１ａ、１１１ｂおよび１１１ｃ）の数よりも大きい場合（４つ以上の場合）には、予約時間が重複する放送番組を録画予約したユーザが使用する携帯情報端末（２０、３０および４０）に対して録画予約が重複したことを通知する制御を行うように構成されている。すなわち、制御部１１９は、予約時間が重複する放送番組の数が３（受信部１１１の数）よりも大きい場合にのみ、録画予約が重複したことを通知するように構成されている。
【００７０】
次に、図７および図８を参照して、この第２実施形態の録画装置１１０（制御部１１９）による録画予約重複判別処理についてフローチャートに基づいて説明する。なお、図５に示した上記第１実施形態と同一の処理については、同じ符号を付してその説明を省略する。
【００７１】
ステップＳ１〜Ｓ４において録画予約情報に基づいて録画予約が録画装置１１０（図７参照）により実行されるとともに、録画予約した複数の放送番組のうち予約時間が重複する放送番組がある場合には、図８に示すように、ステップＳ２１において、予約時間が重複する放送番組の数が複数（３つ）の受信部１１１（１１１ａ、１１１ｂおよび１１１ｃ）（図７参照）の数よりも大きいか否かが録画装置１１０により判別される。
【００７２】
予約時間が重複する放送番組の数が受信部１１１の数以下（３つ以下）の場合には、予約時間が重複する放送番組がある場合にも他の受信部１１１を利用して録画することができるので、予約時間が重複する放送番組を録画予約したユーザ（ユーザＡ、ユーザＢおよびユーザＣ）の各々が使用する携帯情報端末（２０、３０および４０）に対して録画予約が重複したことが録画装置１１０により通知されることなく、録画予約重複判別処理が終了される。
【００７３】
また、ステップＳ２１において、予約時間が重複する放送番組の数が受信部１１１の数よりも大きい場合（４つ以上の場合）には、ステップＳ５に進み、予約時間が重複する放送番組を録画予約したユーザ（ユーザＡ、ユーザＢおよびユーザＣ）の各々が使用する携帯情報端末（２０、３０および４０）に対して録画予約が重複したことが録画装置１１０により通知されて、録画予約重複判別処理が終了される。
【００７４】
なお、第２実施形態のその他の構成は、上記第１実施形態と同様である。
【００７５】
第２実施形態では、以下のような効果を得ることができる。
【００７６】
第２実施形態では、上記のように、録画予約情報に基づいて録画予約するとともに、録画予約した複数の放送番組のうち予約時間が重複する放送番組がある場合には、予約時間が重複する放送番組を録画予約したユーザＡ、ＢおよびＣが使用する携帯情報端末２０、３０および４０に対して録画予約が重複したことを通知する制御を行う制御部１１９を設けることによって、上記第１実施形態と同様に、後の録画予約をしたユーザの録画が実行されないことを抑制しながら、ユーザ間で録画予約の調停を容易に行うことができる。
【００７７】
また、第２実施形態では、上記のように、放送番組を受信するための複数（３つ）の受信部１１１（１１１ａ、１１１ｂおよび１１１ｃ）を含むように録画装置１１０を構成する。そして、録画予約した複数の放送番組のうち予約時間が重複する放送番組の数が複数（３つ）の受信部１１１の数よりも大きい場合には、予約時間が重複する放送番組を録画予約したユーザＡ、ＢおよびＣが使用する携帯情報端末２０、３０および４０に対して録画予約が重複したことを通知する制御を行うように制御部１１９を構成する。これにより、録画装置１１０が複数の受信部１１１を含む場合には、複数（３つ）の受信部１１１により録画可能な最大数（受信部の数、３つ）を越えてユーザ間での調停が必要になった場合にのみ、録画予約が重複したことが通知されるので、調停が不要な場合にも録画予約が重複していることが通知さてしまうのを抑制することができる。
【００７８】
なお、第２実施形態のその他の効果は、上記第１実施形態と同様である。
【００７９】
（第３実施形態）
次に、図２、図７および図９〜図１１を参照して、第３実施形態について説明する。この第３実施形態では、上記第１および第２実施形態とは異なり、ホームサーバ２５０を介して録画装置２１０ａおよび２１０ｂが携帯情報端末２０、３０および４０から放送番組の録画予約情報を受信する例について説明する。なお、ホームサーバ２５０は、本発明の「サーバ装置」の一例である。
【００８０】
本発明の第３実施形態による録画システム３００は、図９に示すように、録画機能を有するテレビジョン装置としての録画装置２１０ａと、ハードディスクレコーダとしての録画装置２１０ｂと、録画装置２１０ａおよび２１０ｂと接続されるとともにインターネット９０と接続されるＰＣなどのホームサーバ２５０と、インターネット９０を介してホームサーバ２５０と通信する携帯情報端末２０、３０および４０とを備えている。また、録画システム３００は、録画予約可能なユーザが予め登録される。なお、上記第１および第２実施形態と同一の構成については、同じ符号を付してその説明を省略する。
【００８１】
録画装置２１０ａおよび録画装置２１０ｂは、ホームサーバ２５０を介してインターネット９０に接続されること以外は、各々、図２および図７に示す、上記第１実施形態の録画装置１０および上記第２実施形態の録画装置１１０と略同様の構成である。
【００８２】
第３実施形態では、録画装置２１０ａ、録画装置２１０ｂおよびホームサーバ２５０は、家庭内に配置されるとともに、互いに接続されてホームネットワークを形成している。また、ホームサーバ２５０は、録画装置２１０ａおよび２１０ｂの録画予約状況を確認可能なように構成されている。
【００８３】
また、第３実施形態では、録画システム３００は、録画装置２１０ａおよび録画装置２１０ｂの各々において、上記第２実施形態のように、録画予約した複数の放送番組のうち予約時間が重複する放送番組があるか否か、および、予約時間が重複する放送番組の数が受信部の数（録画装置２１０ａでは１つ、録画装置２１０ｂでは３つ）よりも大きいか否かが判別されるように構成されている。また、録画システム３００では、録画装置２１０ａおよび録画装置２１０ｂは、録画予約した複数の放送番組のうち予約時間が重複する放送番組の数が受信部の数よりも大きい場合には、ホームサーバ２５０に対して録画予約が重複したことを通知する制御を行うように構成されている。
【００８４】
また、録画システム３００では、録画予約が重複したことの通知を受けた場合には、ホームサーバ２５０は、他の録画装置（録画装置２１０ａ（２１０ｂ）から通知を受けた場合の録画装置２１０ｂ（２１０ａ））で録画予約が可能か否かを判別する制御を行うように構成されている。また、ホームサーバ２５０は、他の録画装置で録画予約が可能な場合には、他の録画装置に対して録画予約情報を送信するように構成されている。また、ホームサーバ２５０は、他の録画装置で録画予約が可能でない場合には、予約時間が重複する放送番組を録画予約したユーザが使用する携帯情報端末（２０、３０および４０）に対して録画予約が重複したことを通知する制御を行うように構成されている。
【００８５】
また、ホームサーバ２５０は、録画装置２１０ａおよび２１０ｂにより録画された放送番組の情報を取得するように構成されている。また、ホームサーバ２５０は、ユーザＡ、ＢおよびＣが使用する携帯情報端末２０、３０および４０から要求がある場合には、録画予約情報に基づいて、録画予約したユーザＡ、ＢおよびＣに対応する放送番組の録画リスト（録画した放送番組のリスト）を作成して、要求したユーザＡ、ＢおよびＣに通知（提供）するように構成されている。この際、ホームサーバ２５０は、録画された放送番組に対応する予約者情報と要求があったユーザとが一致する場合に、一致した放送番組を録画リストに追加することによって、録画リストを作成するように構成されている。
【００８６】
次に、図９および図１０を参照して、この第３実施形態の録画システム３００による録画予約重複判別処理についてフローチャートに基づいて説明する。ここでは、２つの録画装置２１０ａおよび２１０ｂのうち録画装置２１０ｂに対してホームサーバ２５０から録画予約情報が送信される場合について説明する。
【００８７】
まず、図１０に示すように、ホームサーバ２５０（図９参照）側では、ステップＳ３１において、携帯情報端末２０、３０および４０（図９参照）からの録画予約情報がホームサーバ２５０により受信される。そして、ステップＳ３２において、録画装置２１０ｂ（図９参照）に対して受信された録画予約情報がホームサーバ２５０により送信される。
【００８８】
また、録画装置２１０ｂ（制御部１１９）側では、ステップＳ４１において、ホームサーバ２５０からの録画予約情報が録画装置２１０ｂにより受信される。そして、ステップＳ４２において、録画予約情報に基づいて録画予約が録画装置２１０ｂにより実行される。そして、ステップＳ４３において、録画予約情報（予約者名、予約時間、予約番組名などの情報）が録画装置２１０ｂにより記憶される。
【００８９】
そして、ステップＳ４４において、録画予約した複数の放送番組のうち予約時間が重複する放送番組があるか否かが録画装置２１０ｂにより判別される。録画予約した複数の放送番組のうち予約時間が重複する放送番組がない場合には、録画予約重複判別処理が終了される。
【００９０】
また、ステップＳ４４において、録画予約した複数の放送番組のうち予約時間が重複する放送番組がある場合には、ステップＳ４５において、予約時間が重複する放送番組の数が複数の受信部の数よりも大きいか否かが録画装置２１０ｂにより判別される。
【００９１】
そして、ステップＳ４５において、予約時間が重複する放送番組の数が受信部の数以下の場合には、予約時間が重複する放送番組がある場合にも空いている受信部を利用して録画することができるので、録画予約重複判別処理が終了される。
【００９２】
また、ステップＳ４５において、予約時間が重複する放送番組の数が受信部の数よりも大きい場合には、ステップＳ４６において、ホームサーバ２５０に対して録画予約が重複したことが録画装置２１０ｂにより通知される。
【００９３】
また、ホームサーバ２５０側では、録画予約が重複したことが録画装置２１０ｂにより通知された場合には、ステップＳ３３において、他の録画装置（録画装置２１０ａ（図９参照））で録画予約を可能か否かがホームサーバ２５０により判別される。他の録画装置で録画予約が可能な場合には、ステップＳ３４において、他の録画装置に対して録画予約情報がホームサーバ２５０により送信されて、録画予約重複判別処理が終了される。
【００９４】
そして、他の録画装置（録画装置２１０ａ）で録画予約が可能でない場合には、ステップＳ３５において、予約時間が重複する放送番組を録画予約したユーザが使用する携帯情報端末（２０、３０および４０）に対して録画予約が重複したことがホームサーバ２５０により通知されて、録画予約重複判別処理が終了される。
【００９５】
次に、図９および図１１を参照して、上述したホームサーバ２５０による録画リスト通知処理についてフローチャートに基づいて説明する。
【００９６】
まず、ユーザからの録画リストの取得の要求がある場合には、図１１に示すように、ステップＳ５１において、登録されているユーザであるか否か（ユーザＡ、ＢおよびＣであるか否か）がホームサーバ２５０（図９参照）により判別される。登録されているユーザでない場合には、ステップＳ５２において、録画リストの取得の要求をしたユーザが使用する携帯情報端末に対して未登録のユーザであることがホームサーバ２５０により通知されて、録画リスト通知処理が終了される。
【００９７】
また、登録されているユーザである場合には、ステップＳ５３において、録画された全ての放送番組を確認済みであるか否かがホームサーバ２５０により判別される。要求を受けた後、初回の判断ステップでは、何ら確認がなされていないので、録画した全ての放送番組を確認済みでないと判別されて、ステップＳ５４に進む。
【００９８】
そして、ステップＳ５４において、録画リストの取得の要求をしたユーザと録画された放送番組の予約者情報（録画予約情報に含まれる情報）のユーザとが一致するか否かがホームサーバ２５０により判別される。一致する場合には、ステップＳ５５において、録画された放送番組が録画リストに追加されるとともに、一致しない場合には、ステップＳ５３に戻る。そして、録画された全ての放送番組について、ステップＳ５３〜５５の判断ステップが繰り返される。
【００９９】
そして、ステップＳ５３において、録画された全ての放送番組について確認済みであると判別された場合には、ステップＳ５６において、作成された録画リストがホームサーバ２５０から録画リストの取得の要求をしたユーザＡ、ＢおよびＣが使用する携帯情報端末２０、３０および４０に対して通知（提供）されて、録画リスト通知処理が終了される。
【０１００】
なお、第３実施形態のその他の構成は、上記第１実施形態と同様である。
【０１０１】
第３実施形態では、以下のような効果を得ることができる。
【０１０２】
第３実施形態でも、上記第１実施形態と同様に、後の録画予約をしたユーザの録画が実行されないことを抑制しながら、ユーザ間で録画予約の調停を容易に行うことができる。
【０１０３】
また、第３実施形態では、上記のように、他の録画装置（録画装置２１０ａ（２１０ｂ）から通知を受けた場合の録画装置２１０ｂ（２１０ａ））で録画予約が可能な場合には、他の録画装置に対して録画予約情報を送信するようにホームサーバ２５０を構成する。これにより、録画システム３００のように複数（２つ）の録画装置（２１０ａおよび２１０ｂ）を備える場合には、複数の録画装置が有する受信部により録画可能な最大数（録画装置２１０ａおよび２１０ｂの受信部の数、４つ）を越えてユーザ間での調停が必要になった場合にのみ、録画予約が重複したことが通知されるので、これによっても、調停が不要な場合に録画予約が重複していることが通知さてしまうのを抑制することができる。
【０１０４】
また、第３実施形態では、上記のように、録画装置２１０ａおよび２１０ｂにより録画された放送番組の情報を取得するとともに、ユーザＡ、ＢおよびＣが使用する携帯情報端末２０、３０および４０から要求がある場合には、録画予約情報に基づく録画予約したユーザＡ、ＢおよびＣに対応する放送番組の録画リストを提供するようにホームサーバ２５０を構成する。これにより、録画された放送番組のうちから自身の録画した放送番組を探す手間を省略することができるので、ユーザが録画された放送番組を視聴する際の利便性を向上させることができる。
【０１０５】
なお、第３実施形態のその他の効果は、上記第１実施形態と同様である。
【０１０６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０７】
たとえば、上記第１実施形態では、予約時間が重複する放送番組を録画予約したユーザＡ、ＢおよびＣの各々が使用する携帯情報端末２０、３０または４０の全てに対して録画予約が重複したことを通知した例を示したが、本発明はこれに限られない。本発明では、予約時間が重複する放送番組を録画予約したユーザが使用する携帯情報端末のうち一部（単数または複数）に対して録画予約が重複したことを通知してもよい。
【０１０８】
また、上記第１実施形態では、録画予約した複数の放送番組のうち予約時間が重複する放送番組がある場合には、重複している相手方の予約者名に加えて、予約時間および予約番組名を通知した例を示したが、本発明はこれに限られない。本発明では、予約者名に加えて、予約時間のみを通知してもよいし、予約番組名のみを通知してもよい。
【０１０９】
また、上記第１実施形態では、録画予約したユーザとは異なるユーザによる録画予約の変更操作を制限した例を示したが、本発明はこれに限られない。本発明では、さらに、録画された放送番組の閲覧に関して制限を設けてもよい。たとえば、録画された放送番組を録画予約したユーザとは異なるユーザにより閲覧できないように、パスワードなどを設定可能にしてもよい。
【０１１０】
また、上記第１実施形態では、録画予約した複数の放送番組のうち予約時間が重複する放送番組がある場合に録画予約が重複したことを通知した例を示したが、本発明はこれに限られない。本発明では、録画予約した複数の放送番組のうち予約時間が重複する放送番組がある場合の最初の通知の後、所定の時間経過した後に録画予約の重複状態が解消されない場合には、さらに通知を行ってもよい。
【０１１１】
また、上記第１実施形態では、録画予約した複数の放送番組のうち予約時間が重複する放送番組がある場合に録画予約が重複したことを通知した例を示したが、本発明はこれに限られない。本発明では、予約時間が重複するか否かに関わらず、録画予約が実行される度に、録画システムに登録されたユーザが使用する携帯情報端末に対して放送番組が録画予約されたことを通知してもよい。これにより、他のユーザがいずれの時間に録画予約されたかを予め知ることができるので、録画予約した放送番組の予約時間が重複することを抑制することができる。
【０１１２】
また、上記第１実施形態では、予約時間が重複する放送番組の予約時間のうちいずれか早い方の開始時間までに録画予約が重複した状態が解消されない場合には、後に録画予約された放送番組の録画予約を解除した例を示したが、本発明はこれに限られない。本発明では、予め優先度を定めて優先度の低い録画予約を解除してもよい。また、優先度の低い方の録画予約を解除することなく、重複しない時間のみを録画するようにしてもよい。
【０１１３】
また、上記第１実施形態では、録画装置１０が１つの受信部１１を含んだ例を示し、上記第２実施形態では、録画装置１１０が複数（３つ）の受信部１１１（１１１ａ、１１１ｂおよび１１１ｃ）を含んだ例を示したが、本発明はこれに限られない。本発明では、録画装置が３つ以外の複数の受信部を含んでいてもよい。
【０１１４】
また、上記第３実施形態では、ホームサーバ２５０により録画リストを作成するとともに、携帯情報端末２０、３０および４０に対して通知した例を示したが、本発明はこれに限られない。本発明では、録画装置が録画リストを作成するとともに、携帯情報端末に対して通知してもよい。
【０１１５】
また、上記第１〜第３実施形態では、録画システム１００（２００、３００）が情報端末として携帯情報端末２０、３０および４０を備えた例を示したが、本発明はこれに限られない。本発明では、録画システムが情報端末としてデスクトップＰＣや、タブレットＰＣなどの情報端末を備えていてもよい。
【０１１６】
また、上記第１〜第３実施形態では、録画システム１００が録画装置としてテレビジョン装置（録画装置１０および２１０ａ）およびハードディスクレコーダ（録画装置１１０および２１０ｂ）を備えた例を示したが、本発明はこれに限られない。本発明では、録画システムが録画装置としてＳＴＢ（セットトップボックス）を備えていてもよい。
【０１１７】
また、上記第１〜第３実施形態では、説明の便宜上、本発明の録画装置１０（１１０および２１０ｂ）およびホームサーバ２５０の処理を処理フローに沿って順番に処理を行うフロー駆動型のフローチャートを用いて説明したが、本発明はこれに限られない。本発明では、録画装置１０（１１０および２１０ｂ）およびホームサーバ２５０の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１８】
１０、１１０、２１０ａ、２１０ｂ  録画装置
１１、１１１、１１１ａ、１１１ｂ、１１１ｃ  受信部
１７  記憶部
１８  通信部
１９、１１９  制御部
２０、３０、４０  携帯情報端末（情報端末）
９０  インターネット（ネットワーク）
１００、２００、３００  録画システム
２５０  ホームサーバ（サーバ装置）
【図１】
2015139200.tif 000003
【図２】
2015139200.tif 000004
【図３】
2015139200.tif 000005
【図４】
2015139200.tif 000006
【図５】
2015139200.tif 000007
【図６】
2015139200.tif 000008
【図７】
2015139200.tif 000009
【図８】
2015139200.tif 000010
【図９】
2015139200.tif 000011
【図１０】
2015139200.tif 000012
【図１１】
2015139200.tif 000013